【手続補正書】
【提出日】平成28年2月18日(2016.2.18)
【手続補正１】
【補正対象書類名】明細書
【補正対象項目名】０１２３
【補正方法】変更
【補正の内容】
【０１２３】
本発明の趣旨及び範囲から逸脱することなく、様々な修正を行ってもよい。これらの実施例及び他の実施形態は以下の特許請求の範囲に含まれるものである。本発明の実施態様の一部を以下の項目［１］−［３９］に記載する。
[１]
物品であって、
上の主面及び下の主面と辺縁とを有する、形状適合性の裏材と、
前記裏材の前記下の主面の少なくとも一部分にコーティングされた接着剤と、
前記裏材の前記上の主面に剥離可能に付着された自己支持性のキャリアであって、前記キャリアは離間配置された第１及び第２のセクションを有し、前記各セクションは中央縁を有する、キャリアと、を備え、
前記中央縁が前記裏材の物体形状適合性の領域の対向する境界を画定する、物品。
[２]
前記裏材が、前記物体形状適合性の領域の両側に位置づけられた２つの形状適合性のアンカー領域を更に備える、項目１に記載の物品。
[３]
前記裏材が、ポリマーフィルム、発泡体、織布、不織布、又は前記シート材料のいずれか２つ若しくはそれ以上の組み合わせを含むシート材料を備える、項目１又は項目２のいずれか一項に記載の物品。
[４]
前記裏材が本質的にポリマーフィルムから成る、項目１〜３のいずれか一項に記載の物品。
[５]
前記シート材料が弾性のシート材料である、項目３又は項目４のいずれか一項に記載の物品。
[６]
前記中央縁が実質的に相補形である、項目１〜５のいずれか一項に記載の物品。
[７]
前記中央縁が実質的に非相補形である、項目１〜５のいずれか一項に記載の物品。
[８]
前記物体形状適合性の領域が実質的に透明である、項目１〜７のいずれか一項に記載の物品。
[９]
前記接着剤が、イソ−オクチルアクリレート：アクリルアミドのコポリマー、イソオクチルアクリレート：エチレンオキシドアクリレート：アクリル酸のターポリマー、前記接着剤のいずれかの誘導体、シリコーン接着剤、又は前記接着剤のいずれか２つ若しくはそれ以上の混合物を含む、項目１〜８のいずれか一項に記載の物品。
[１０]
前記接着剤がパターンコーティングされている、項目１〜９のいずれか一項に記載の物品。
[１１]
前記接着剤に剥離可能に付着されているライナーを更に備える、項目１〜１０のいずれか一項に記載の物品。
[１２]
前記キャリアが、自己支持性のヘビーデューティ紙、厚紙、ボール紙、自己支持性のポリマーシート材料、及び前記材料のいずれか２つ若しくはそれ以上の混合物又は組み合わせからなる群から選択される材料を含む、項目１〜１１のいずれか一項に記載の物品。
[１３]
前記キャリアが光透過性の材料を含む、項目１〜１２のいずれか一項に記載の物品。
[１４]
前記物体形状適合性の領域が第１の正中線を含み、前記第１の正中線が実質的に直線を画定する、項目１〜１３のいずれか一項に記載の物品。
[１５]
前記物体形状適合性の領域が第１の正中線を含み、前記第１の正中線が曲線を画定する、項目１〜１２のいずれか一項に記載の物品。
[１６]
前記物体形状適合性の領域が第１の正中線を含み、前記第１の正中線が角のある線を画定する、項目１〜１２のいずれか一項に記載の物品。
[１７]
前記裏材の前記物体形状適合性の領域の上面に剥離可能に付着されている前記キャリアの第３のセクションを更に含む、項目１〜１６のいずれか一項に記載の物品。
[１８]
前記物体形状適合性の領域が前記裏材の周辺に沿って位置づけられた少なくとも１つのスリットを更に含む、項目１〜１７のいずれか一項に記載の物品。
[１９]
前記領域が複数のスリットを含み、少なくとも１つのスリットが前記物体形状適合性の領域の一端で前記裏材の周辺に沿って位置づけられており、もう１つのスリットが前記物体形状適合性の領域のもう一方の端で前記裏材の周辺に沿って位置づけられている、項目１８に記載の物品。
[２０]
前記キャリアがつまみを更に含む、項目１〜１９のいずれか一項に記載の物品。
[２１]
前記つまみが前記キャリアの少なくとも１つのセクションの辺縁に沿って位置づけられており、前記少なくとも１つのセクションの前記辺縁が、前記少なくとも１つのセクションの前記中央縁の反対側にある、項目２０に記載の物品。
[２２]
前記キャリアの前記上面に剥離可能に付着されている接着剤ストリップを更に備える、項目１〜２１のいずれか一項に記載の物品。
[２３]
補強層を更に含む、項目１〜２２のいずれか一項に記載の物品。
[２４]
前記補強層がスパンレース不織布を含む、項目２３に記載の物品。
[２５]
前記裏材がしるしを更に含む、項目１〜２４のいずれか一項に記載の物品。
[２６]
前記しるしがマーク、ノッチ、又は穿孔を含む、項目２５に記載の物品。
[２７]
前記しるしが前記物体形状適合性の領域の正中線に近接した場所を示す、項目２５又は項目２６のいずれか一項に記載の物品。
[２８]
物体を表面に固定する方法であって、
トポロジカル形状を有する物体、項目１〜２７のいずれか一項に記載の物品、及びデバイスを固定する表面を提供することと、
前記デバイス及び前記物品を前記表面に近接させて位置づけることと、
前記キャリアの少なくとも１つのセクションを使用して前記トポロジカル形状の少なくとも一部分に前記裏材を適合させることと、
前記裏材を前記表面に固定することと、を含む、方法。
[２９]
前記裏材を前記表面に固定することが、前記キャリアの少なくとも１つのセクションの前記中央縁を使用して、前記接着剤と前記デバイスに近接した前記表面の一部分とを接触させることを含む、項目２８に記載の方法。
[３０]
前記キャリアの少なくとも１つのセクションを使用することが、前記キャリアの前記第１及び第２のセクションの両方を使用することを含む、項目２８又は項目２９のいずれか一項に記載の方法。
[３１]
前記キャリアの前記第１及び第２のセクションを使用することが、前記第１及び第２のセクションを順に使用することを更に含む、項目３０に記載の方法。
[３２]
前記キャリアの前記第１及び第２のセクションを使用することが、前記第１及び第２のセクションを同時に使用することを更に含む、項目３０に記載の方法。
[３３]
少なくとも１つのセクションの前記中央縁を使用することが、前記キャリアの前記第１及び第２のセクションの前記中央縁を使用することを含む、項目２８〜３２のいずれか一項に記載の方法。
[３４]
前記キャリアの前記第１及び第２のセクションの前記中央縁を使用することが、前記キャリアの前記第１及び第２のセクションの前記中央縁を順に使用することをさらに含む、項目３３に記載の方法。
[３５]
前記キャリアの前記第１及び第２のセクションの前記中央縁を使用することが、前記キャリアの前記第１及び第２のセクションの前記中央縁を順に使用することをさらに含む、項目３３に記載の方法。
[３６]
前記中央縁を使用することが、前記中央縁を使用して、前記裏材と前記表面の間のテント状空隙を低減することを含む、項目２８〜３５のいずれか一項に記載の方法。
[３７]
前記中央縁を使用することが、前記縁を使用して、前記デバイスの周囲の周りに実質的に完全に前記物品と前記デバイスとの接触を提供することを含む、項目２９〜３６のいずれか一項に記載の方法。
[３８]
前記物体が医療デバイスを含む、項目２８〜３７のいずれか一項に記載の方法。
[３９]
前記医療デバイスが、管、カテーテル、又は電極リード線からなる群から選択される、項目３８に記載の方法。
【手続補正２】
【補正対象書類名】特許請求の範囲
【補正対象項目名】全文
【補正方法】変更
【補正の内容】
【特許請求の範囲】
【請求項１】
物品であって、
上の主面及び下の主面と辺縁とを有する、形状適合性の裏材と、
前記裏材の前記下の主面の少なくとも一部分にコーティングされた接着剤と、
前記裏材の前記上の主面に剥離可能に付着された自己支持性のキャリアであって、前記キャリアは離間配置された第１及び第２のセクションを有し、前記各セクションは中央縁を有する、キャリアと、を備え、
前記中央縁が前記裏材の物体形状適合性の領域の対向する境界を画定する、物品。
【請求項２】
前記裏材の前記物体形状適合性の領域の上面に剥離可能に付着されている前記キャリアの第３のセクションを更に含む、請求項１に記載の物品。
【請求項３】
物体を表面に固定する方法であって、
トポロジカル形状を有する物体、請求項１〜２のいずれか一項に記載の物品、及びデバイスを固定する表面を提供することと、
前記デバイス及び前記物品を前記表面に近接させて位置づけることと、
前記キャリアの少なくとも１つのセクションを使用して前記トポロジカル形状の少なくとも一部分に前記裏材を適合させることと、
前記裏材を前記表面に固定することと、を含む、方法。